【手続補正書】
【提出日】平成17年1月24日(2005.1.24)
【手続補正１】
【補正対象書類名】特許請求の範囲
【補正対象項目名】全文
【補正方法】変更
【補正の内容】
【特許請求の範囲】
【請求項１】
ヒンジ留め蓋（５）を有する少なくとも一つの硬質小包（２）を具備し、該小包（２）は、底端面（４）を有するコンテナ（３）と、頂端面（６）を有する蓋（５）とを含んでなり、該蓋（５）が、コンテナ（３）にヒンジ留めされ従って前記小包（２）が開いている位置と、前記コンテナ（３）内に部分的に挿入されているフレーム（９）と相互作用する位置であって前記小包が閉じている位置との間を回転することができる煙草製品用硬質梱包体において、
前記小包（２）が少なくとも二つの主面（１４，１５）を有し、第１の面（１４）が平坦であり、第２の面がほぼ中央の平坦部（１６）及び該平坦部（１６）を前記平坦な第１の面（１４）の長手方向縁（１８）に接続する二つの湾曲面（１７）を含んでなることを特徴とする梱包体。
【請求項２】
前記平面（１６）を相互接続する前記二つの湾曲面（１７）が円弧を形成する請求項１に記載された梱包体。
【請求項３】
前記小包（２）の断面がほぼ半円状である請求項２に記載された梱包体。
【請求項４】
前記小包（２）の断面が丸みを帯びた等脚台形であり、切断面が前記平坦な第１の面（１４）と交差する部分によって該等脚台形の大きい方の辺が画定され、切断面が前記第２の平面（１５）の平坦部（１６）と交差する部分によって該等脚台形の小さい方の辺が画定される請求項１に記載された梱包体。
【請求項５】
前記平坦な第１の面（１４）の長手方向縁（１８）の少なくとも一つが、鋭い隅縁（２５）である請求項１から４のいずれか一つに記載された梱包体。
【請求項６】
前記平坦な第１の面（１４）の長手方向縁（１８）の少なくとも一つが、斜角にされた隅縁（２５）である請求項１から４のいずれか一つに記載された梱包体。
【請求項７】
前記平坦な第１の面（１４）の長手方向縁（１８）の少なくとも一つが、湾曲された隅縁（２８）である請求項１から４のいずれか一つに記載された梱包体。
【請求項８】
前記蓋（５）が、前記第１の主面（１４）を横切って延びるヒンジ線（７）に沿って前記コンテナ（３）にヒンジ留めされる請求項１から７のいずれか一つに記載された梱包体。
【請求項９】
前記蓋（５）が、前記第２の主面（１５）の前記中央の平坦部（１６）を横切って延びるヒンジ線（７）に沿って前記コンテナ（３）にヒンジ留めされる請求項１から７のいずれか一つに記載された梱包体。
【請求項１０】
前記第１の主面（１４）の二つの長手方向縁（１８）のうちの一方に沿って互いに連結された一対の小包（２）を具備する請求項１から９のいずれか一つに記載された梱包体。
【請求項１１】
共通軸線（３１）に沿って積み上げられ、かつ底端面（４）と頂端面（６）とが互いに接して配置され、かつ被包材料の単一シート（３２）に包まれた、複数対の小包（２）を具備した請求項１から９のいずれか一つに記載された梱包体。
【請求項１２】
単一の小包（２）がダイカット済み素材（３３）から作成され、該素材（３３）が、対応する梱包体（１）の長手軸線（１２）に平行な長手軸線（３４）を備えたほぼ長方形の輪郭を有すると共に、該軸線（３４）上に整列された中央パネル（３５）、二つの中間パネル（３６，３７）及び二つの端パネル（３８，３９）を有し、各中間パネル（３６，３７）の側部のうち、それぞれ対応する端パネル（３８，３９）に向かうほうが、ほぼ弧状の輪郭を有し、前記長手軸線（３４）を横切って配置されたそれぞれの直線状折り目線（４０，４１）によりそれぞれ対応する端パネル（３８，３９）に接続される請求項１から１１のいずれか一つに記載された梱包体。
【請求項１３】
各中間パネル（３６，３７）が、それぞれの第２の直線状折り目線（４２，４３）により前記中央パネル（３５）に接続され、これら第２の直線状折り目線（４２，４３）が、前記長手軸線（３４）を横切って配置され、前記弧状輪郭を画定する円弧を形成している二つの部分（４４）によりそれぞれ対応する第１の折り目線（４０，４１）に接続される請求項１２に記載された梱包体。
【請求項１４】
前記端パネル（３８，３９）が、前記長手軸線（３４）の両側を該長手軸線（３４）に平行に延びる、それぞれの二つの長手方向折り目線（４５）を有し、これら折り目線（４５）が組み合わさって、前記小包（２）の第２の主面（２５）により表される前記平坦な中央部（１６）に一致する内側領域と、二つの長手方向側方部分（４７）として表される外側領域であって、前記中央パネル（３５）により形成される前記平坦な第１の主面（１４）の長手方向縁（１８）と前記平坦部（１６）とを相互接続する前記湾曲部（１７）に一致する外側領域とを画定する請求項１２に記載された梱包体。
【請求項１５】
前記端パネル（３８，３９）の自由横縁（４９，５０）がほぼ弧状の輪郭を有する請求項１４に記載された梱包体。
【請求項１６】
前記中央パネル（３５）が、長手軸線（３４）を横切って延びて前記ヒンジ線（７）を形成するよう機能する折り目線（５１）を有し、該中央パネル（３５）には側方に、長手方向に配置された連結パネル（５２）が並べられ、これら連結パネル（５２）が、それぞれの予め形成された長手方向折り目線（５３）により該中央パネル（３５）に接続され、ヒンジ用折り目線（５１）の端で収斂するそれぞれの切り込み（５４）により二部分に分割される請求項１２から１６のいずれか一つに記載された梱包体。
【請求項１７】
各側方連結パネル（５２）がその両端に、対応する中間パネル（３６，３７）に係合するよう位置決めされた保持フラップ（４８；５５）を有する請求項１６に記載された梱包体。
【請求項１８】
前記中間パネル（３６，３７）により提供される各弧状部分（４４）が、対応する端パネル（３８，３９）の対応する側方部分（４７）に係合するよう位置決めされた少なくとも一つの放射状フラップ（４８，５６）を有する請求項１から１７のいずれか一つに記載された梱包体。
【請求項１９】
各端パネル（３８，３９）の側方部分（４７）及び前記中央パネル（３５）の側方に付設された前記連結パネル（５２）が、曲げやすくされ、前記弧状輪郭の曲率に適合可能である請求項１２から１８のいずれか一つに記載された梱包体。
【請求項２０】
前記弧状曲率への適合を可能にする曲げやすさが、エンボス加工（Ｇ）により得られる請求項１９に記載された梱包体。
【請求項２１】
前記弧状曲率への適合を可能にする曲げやすさが、複数の長手方向折り目線（５７）を型押ししたもの（Ｐ）により得られる請求項１９に記載された梱包体。
【請求項２２】
前記予め形成された長手方向折り目領域（５３）が、少なくとも一つの折り目線（６２）からなる請求項１６に記載された梱包体。
【請求項２３】
前記予め形成された長手方向折り目領域（５３）が、第１の予め決められた距離だけ離間された少なくとも二つの互いに平行な折り目線（６３）からなる請求項１６に記載された梱包体。
【請求項２４】
前記予め形成された長手方向折り目領域（５３）が、第２の予め決められた距離だけ離間された複数の互いに平行な折り目線（６４）からなる請求項１６に記載された梱包体。
【請求項２５】
前記フレーム（９）が、それぞれの平坦なダイカット済み素材（５８）から作成され、該素材（５８）が、端パネル（３８，３９）の中央部分（４６）に付設される中央領域（５９）と、端パネル（３８，３９）の長手方向側方部分（４７）に付設される、それぞれの二つの横帯（６０）とを有する請求項１２から２４のいずれか一つに記載された梱包体。
【請求項２６】
前記横帯（６０）が、曲げやすく形成され、前記小包用素材（３３）の中間パネル（３６，３７）の弧状部分により表される曲率に適可能である請求項２５に記載された梱包体。
【請求項２７】
前記弧状曲率への適合を可能にする曲げやすさが、エンボス加工により得られる請求項２５に記載された梱包体。
【請求項２８】
前記弧状曲率への適合を可能にする曲げやすさが、複数の長手方向折り目線（５７）を型押ししたものにより得られる請求項２５に記載された梱包体。
【手続補正２】
【補正対象書類名】明細書
【補正対象項目名】全文
【補正方法】変更
【補正の内容】
【発明の詳細な説明】
【発明の名称】煙草製品のための硬質梱包体
【技術分野】
【０００１】
本発明は煙草製品の硬質梱包体に関する。
【０００２】
下記の説明において、梱包体という用語は、煙草の少なくとも二つの小包を具備するか又は煙草の複数の小包を含むように機能する梱包体と、一群の煙草又は煙草製品一般を含む単一の小包との両方を意味するものと一般に考えることができる。
【０００３】
一般に、ヒンジ留め蓋を備え、一群の煙草を含む従来の小包は、ほぼ長方形の断面を有する直方体を成す。特にこのような小包は、両方とも平坦な底端面及び頂端面と、個々の側面とを具備し、これら側面は、互いに平行に配置された平坦前面及び平坦裏面と、互いに平行に配置されて前面及び裏面に直角な二つの平坦側面とを構成する。
【０００４】
当該小包は、いくらか扱いにくく、衣服のポケットに入れておくのも不具合で、典型的には、角度が約９０度である鋭い隅縁を有し、それにより、ポケットが変形され、磨耗される。
【背景技術】
【０００５】
従来技術では、前面及び裏面に接する隅縁が湾曲され又は斜角にされたヒンジ留め蓋付き小包が採用されており、その解決策は上述の欠点を軽減するが完全に取り除くことはできない。例えば裏面が喫煙者の身体に向かうように小包を衣服のポケットに差し込んでおくと、前面の角は、例えそれが鋭角であろうとも、斜角にされていようとも、湾曲されていようとも、前に突き出やすく、ポケットを変形させ、磨耗させることになる。これは、小包の側面が小包の裏面から直角に前方に突出するためである。
【０００６】
前面を含む平面と側面を含む平面との間に形成される角度が広げられても、煙草の小包の平均寸法を考えると、二平面を互いに連結する比較的細い帯状部を越えて大きくならないので、各隅縁はやはりいくらか突き出ることになる。更に、この例での小包の容量はかなり小さくなる。
【０００７】
同様に、煙草小包の平均寸法を考えると、湾曲された隅縁を画定する帯状部は、一般に、比較的小さな半径の曲線であることが典型である。これにより、ダイカット済み素材の一部分を、強く型押しされた複数の折り目線を含ませることにより弱め、これら折り目線に沿って隅縁を形成することが必要になる。これが特に小包の前隅縁に適用されると、これらの線が視覚的に目障りになる。
【発明の開示】
【０００８】
本発明の目的は、上述の欠点が除去されている梱包体を提供することである。
【０００９】
上述の目的は、ヒンジ留め蓋を有する少なくとも一つの硬質小包を具備し、該小包は、底端面を有するコンテナと、頂端面を有する蓋とを含んでなり、該蓋が、コンテナにヒンジ留めされ従って前記小包が開いている位置と、前記コンテナ内に部分的に挿入されているフレームと相互作用する位置であって前記小包が閉じている位置との間を回転することができる煙草製品用硬質梱包体において、前記小包が少なくとも二つの主面を有し、第１の面が平坦であり、第２の面がほぼ中央の平坦部及び該平坦部を前記平坦な第１の面の長手方向縁に接続する二つの湾曲面を含んでなることを特徴とする、本発明による煙草製品用硬質梱包体によって実現される。
【００１０】
添付図面を参照して、本発明を以下詳しく説明する。
【発明を実施するための最良の形態】
【００１１】
図１から図９において、１は硬質梱包体全体を示し、特に２はヒンジ留め蓋を有する硬質小包２を示す。この小包２は、典型的には内部被包（図示されていない）に包まれている一群の煙草（図示されていない）を収容するよう機能し、この内部被包は、適切な被包材料から成形され、硬質小包２内に収納される。単一の小包２はコンテナ３を具備し、コンテナ３の底部は小包２の底端面３と一致し、コンテナ３の頂部の蓋６は小包２の頂端面６と一致する。蓋５は、線７に沿ってコンテナ３にヒンジ留めされており、従って開位置（図示されていない）と閉位置の間で旋回可能である。この閉位置において、蓋５は、コンテナ３の頂部開口端８を隠し、コンテナ３の内部に部分的に位置しかつ開口端８の一つの縁１０を越えて突出しているフレーム９によりこの位置に維持される。この閉位置では、この縁１０が蓋５の自由端１１にほぼ接して係合している。単一の小包２はプリズム又は角柱の形をなす。小包２の軸線と一致する軸線１２を横切って拡がっているこのプリズムの二つの基部は、それぞれ底端面４及び頂端面６により提供され、プリズムの側面１３は平坦な第１及び第２の面としてそれぞれ特定できる二つの主面から構成され、第２の面１５は、第１の面１４に平行な中央平坦部１６と、前述の軸線１２に平行に延びる第１の面１４の長手方向縁１８に沿って平坦部１６を第１の面１４に連結する二つの湾曲部１７とからなる。
【００１２】
これまでの説明と、平坦な第１の面１４を横切って横方向に延びるように見えるヒンジ線７の位置とからわかるように、コンテナ３はプリズムの第１の面１４に一致する裏面１９と、プリズムの第２の面１５を形成する平坦中央部１６及び湾曲部１７により提供される前面２０とを有する。
【００１３】
より正確には、コンテナ３の裏面１９及び蓋５の裏面２１は互いに組み合わされて前面１４に一致する小包２の背部２３を形成し、コンテナ３の前面２０及び蓋５の前面２２は第２の主面１５に一致する小包２の前部２４を形成する。
【００１４】
図１、図２、図３の例を見ると、対応する小包２は、鋭い隅縁２５として具現された第１の面１４の前記長手方向縁１８を有し、これら長手方向縁１８に沿って湾曲側部１７が結合される。これに対し、図４の例では、対応する小包２は、二つの長手方向湾曲帯２７を形成する湾曲隅縁２６として具現された上述の長手方向縁１８を有し、図５の例では、二つの縁１８が、二つの平坦な面２９を形成する斜角隅縁２８として具現される。
【００１５】
図６、図７及び図８の例では、梱包体１は、一つの共通縁１８に沿って互いに連結されている一対の小包からなる。この縁１８は、各小包２の軸線１２に平行に延びる鉛直方向ヒンジ３０として機能すると共に、二つの小包２が図７に示すように開くか、又は図６及び図８に示すようにそれぞれの主平面１４が互いに接触するように閉じることを可能にする。
【００１６】
二つの小包２が分離できるように、特に、二つの蓋５を連結するヒンジ３０の部分を分離し、各蓋５をコンテナ３と接続しているヒンジ７の回りに各蓋５が独立して回転できるようにする切り取り線として、鉛直方向ヒンジ３０を一体化することができる。
【００１７】
これに留意しつつ、図８の例では、ヒンジ線７が、個々の小包２の第２の主面１５の平坦な中央部１６を横切って延び、この小包２がこの特別な例において、図１から図７に示されている小包のそれとは反対の側に背部２３を有し、この背部２３が第１の面１４ではなく第２の面１５に一致している、ことがみてとれる。
【００１８】
図９の図示から明らかなように、複数対の形で共通の軸線３１に沿って積み上げられ、かつ、一対の小包２の二つの頂端面が次の小包２の二つの底端面に接するよう軸線３１に沿いつつ連続して配置された複数（図示例では四つ）の小包２から、梱包体１を構成することもできる。この例では、梱包体１は、複数対の小包２を覆い包む被包材料の単一シート３２を更に具備する。
【００１９】
図１０から図１４を参照すると、各小包２は、例えば厚紙などの包装素材の平坦なダイカット済み素材３３から作成され、その素材は、単一の小包の軸線１２に平行な長手軸線３４を備えたほぼ長方形の輪郭を有している。素材３３は、前述の軸線３４上に整列された複数のパネル、即ち中央パネル３５、二つの中間パネル３６及び３７、及び二つの端パネルを有し、一方の端パネル３８は一方の中間パネル３６を介して中央パネル３５に連結され、他方の端パネル３９は他方の中間パネル３７を介して中央パネル３５に連結される。
【００２０】
中間パネル３６及び３７の側部のうち端パネル３８及び３９に向かうほうの側部はほぼ弧状の輪郭を有し、より正確には、第１の中間パネル３６は長手軸線３４を横切るその第１の直線状折り目線４０を介して対応する端パネル３８に接続され、同様に、第２の中間パネル３７は前述の線４０に平行なその第１の直線状折り目線４１を介して対応する端パネル３９に接続される。
【００２１】
同様に、中間パネル３６及び３７はそれぞれ、長手軸線３４を横切って設けられかつ第１の折り目線４０及び４１に平行な、対応する第２の直線状折り目線４２及び４３を介して中央パネル３５に接続される。第２の折り目線４２及び４３と、各中間パネル３６及び３７の第１の折り目線４０及び４１とは、前述の弧状輪郭を表す二つの部分４４によって互いに接続される。
【００２２】
端パネル３８及び３９は、長手軸線３４の両側を長手軸線３４に平行に延びる、それぞれの対の長手方向折り目線４５を有する。当該折り目線４５は、前記第１の直線状折り目線４０及び４１の長さにほぼ等しい距離だけ離間され、従って各端パネル３８及び３９上に、幅が第１の折り目線４０及び４１の長さに等しい長手方向中央領域４６と、中央領域４６に平行に拡がる二つの長手方向側方部分４７とを画定するよう作用する。これら側方部分４７は、小包２が組み立てられると、中間パネル３６及び３７の前述の部分４４に付け合わされ、保持フラップ４８によりこれら中間パネル３６，３７に対する正規位置に保持される。
【００２３】
特に、二つの中央領域４６は互いに組み合わさって、小包２の第２の面１５により表される中央平坦部１６を形成し、一方、二つの長手方向側方部分４７は互いに組み合わさって、平坦部１６と平坦な第１の面１４の長手方向縁１８とを連結する二つの湾曲部１７を形成し、この第１の面１４は素材の中央パネル３５に一致する。
【００２４】
これに留意しつつ、それぞれの自由縁４９及び５０がほぼ弧状の輪郭をなすように端パネル３８及び３９が具現され、組み立てられた小包２においてこれら自由縁４９及び５０が蓋５の前述の自由端１１及びコンテナ３により提供される頂部開口端８とそれぞれ一致することがわかる。
【００２５】
中央パネル３５は更に、長手軸線３４を横切って延びかつヒンジ線７と一致する折り目線５１を有し、また中央パネル３５には長手方向の側方に、予め形成された長手方向折り目領域５３をそれぞれ介し前記中央パネル３５に接続された側方連結パネル３５が並べられる。これら折り目領域５３は、長手軸線３４と平行に延び、折り目線５１の端に収斂するそれぞれの切り込み５４により二つの部分に分割されている。
【００２６】
図１０、図１３及び図１４の例では、保持フラップ４８はそれぞれの囲みフラップ５５からなり、これら囲みフラップ５５は、側方パネル５２の長手方向の両端により提供され、それぞれ対応する中間パネル３６及び３７に係合するように配置される。
【００２７】
図１１及び図１２の例では、保持フラップ４８は放射状フラップ５６からなり、これら放射状フラップ５６は、中間パネル３６及び３７の弧状部分４４により提供され、各端パネルのそれぞれ対応する側方部分４７に係合するように配置される。
【００２８】
より正確には、中間パネル３６及び３７は、組み立てられた小包２の頂端面６及び底端面４をそれぞれ形成するように構成され、組み立てられた小包２は、ほぼ半円か又は丸みを帯びた等脚台形であると認識可能な断面を有するようにされうる。等脚台形の大きい方の辺は、切断面が平坦な第１の面１４と交差する部分により画定されかつ端面についての第２の折り目線４２及び４３に一致し、等脚台形の小さい方の辺は、切断面が第２の平面１５の平坦部１６と交差する部分により画定されかつ端面についての第１の折り目線４０及び４１と一致している。
【００２９】
断面がほぼ半円である小包２をみると、前述の湾曲部１７及び弧状部分４４が円弧を形成している。
【００３０】
図１１及び図１２の例では、図１１、図１３及び図１４の例とは異なり、端パネル３８及び３９の長手方向側方部分４７と、中央パネル３５に連結された側方連結パネル５２とが明らかに柔軟にされ又は曲げやすくされており、小包２が組み立てられて中間パネル３６及び３７の弧状部分４４の輪郭に合わせられるときに、容易に曲がるようになっている。
【００３１】
図１２の例では、長手方向側方部分４７及び連結パネル５２はエンボス加工Ｇにより柔軟にされている。
【００３２】
図１１の例では、長手方向側方部分４７及び連結パネル５２は型押しされた複数の折り目線Ｐにより柔軟にされている。
【００３３】
側方部分４７と中央部分４６の間の分離は、はっきりとした境界線により表されておらず、これら側方部分４７及び中央部分４６は切れ目なく連続的に接続されており、これにより、小包２の前面２４と一致する第２の主面１５の平坦な中央部１６及び二つの湾曲側方部１７は、突出した鋭い隅縁がいっさい形成されることなく併合する。
【００３４】
小包２の素材３３について説明したのと同様に、図１５、図１６及び図１７に示されているフレーム９を作成する素材５８は、端パネル３８及び３９の中央部４６に付設されることになる長手方向中央領域５９、及びこれらパネル３８及び３９の長手方向側方部分４７に付設されることになる二つの長手方向側方帯６０を有する。特に図１６の例を参照すると、長手方向側方帯６０は、図１２の小包素材３３の対応する部分４７と同様に、エンボス加工により曲げやすくなっており、このフレーム９の場合にもＧでもって示されている。図１７の例では、長手方向側方帯６０は、図１１で示された小包素材３３の部分４７に表されるのと同様に、複数の折り目線６１を型押ししたものＰにより曲げやすくなっている。
【００３５】
フレーム９が作成される素材５８の場合も同様に、側方帯６０と中央部５９の間の分離は、はっきりとした境界線により表されておらず、これら側方帯６０及び中央部５９は、小包２の内面にきちんと当接するように、切れ目なく連続的に併合する。
【００３６】
最後に、図１０、図１１及び図１２に示された素材３３及び図１、図２及び図３の対応する小包２の場合、予め形成された折り目領域５３は、小包が組み立てられると鋭い隅縁を形成することになる単一の折り目線６２からなる。
【００３７】
図１３に示された素材３３及び図５の対応する小包２の場合、各予め形成された折り目領域５３は、互いに平行な一対の折り目線６３からなり、これら折り目線６３は、小包が組み立てられると斜角にされた隅縁２８の前述の平坦面２９を形成することになるように、予め決定された距離で互いに離間されている。
【００３８】
図１４に示された素材３３及び図４の対応する小包２の場合、各予め形成された折り目領域５３は、小包が組み立てられると湾曲隅縁２６の前述の湾曲面２７を形成することになるように、互いに平行な複数の折り目線６４からなる。
【図面の簡単な説明】
【００３９】
【図１】図１から図５までは、単一の小包からなる本発明による梱包体の四つの実施態様を概略斜視図で示している。
【図２】図１から図５までは、単一の小包からなる本発明による梱包体の四つの実施態様を概略斜視図で示している。
【図３】図１から図５までは、単一の小包からなる本発明による梱包体の四つの実施態様を概略斜視図で示している。
【図４】図１から図５までは、単一の小包からなる本発明による梱包体の四つの実施態様を概略斜視図で示している。
【図５】図１から図５までは、単一の小包からなる本発明による梱包体の四つの実施態様を概略斜視図で示している。
【図６】図６から図８までは、二つの小包からなる本発明による梱包体の二つの実施態様を概略斜視図で示している。
【図７】図６から図８までは、二つの小包からなる本発明による梱包体の二つの実施態様を概略斜視図で示している。
【図８】図６から図８までは、二つの小包からなる本発明による梱包体の二つの実施態様を概略斜視図で示している。
【図９】図９は、複数の小包からなる本発明による梱包体を示している。
【図１０】図１０から図１４までは、図１から図５までの小包を作成するために使用される、ダイカット済み素材の平面図である。
【図１１】図１０から図１４までは、図１から図５までの小包を作成するために使用される、ダイカット済み素材の平面図である。
【図１２】図１０から図１４までは、図１から図５までの小包を作成するために使用される、ダイカット済み素材の平面図である。
【図１３】図１０から図１４までは、図１から図５までの小包を作成するために使用される、ダイカット済み素材の平面図である。
【図１４】図１０から図１４までは、図１から図５までの小包を作成するために使用される、ダイカット済み素材の平面図である。
【図１５】図１５から図１７までは、図１から図３までに示される小包のフレームを作成するために使用される、ダイカット済み素材の平面図である。
【図１６】図１５から図１７までは、図１から図３までに示される小包のフレームを作成するために使用される、ダイカット済み素材の平面図である。
【図１７】図１５から図１７までは、図１から図３までに示される小包のフレームを作成するために使用される、ダイカット済み素材の平面図である。